(57)【特許請求の範囲】
【請求項１】
開口を形成する枠体と、見付け方向に移動可能に前記枠体に取り付けられ、前記開口を閉止可能な外障子及び内障子と、を有する建具であって、
前記外障子と前記内障子の戸先框は、
前記枠体の縦枠に収容される縦枠収容部と、面材を保持する面材保持部と、前記縦枠収容部と前記面材保持部とを見付け方向に繋ぎ、見込み方向において室外側に向く面に引き手をなす室外側凹部及び室内側に向く面に引き手をなす室内側凹部を備えた中空部と、を各々有する同一の部材であり、
前記室外側凹部及び前記室内側凹部の見付け方向の幅は、前記中空部の見付け方向の幅の半分より広く形成されており、
前記外障子は、前記縦枠収容部と前記面材保持部との間において、前記室外側凹部が前記面材保持部側に偏らせて、前記室内側凹部が前記縦枠収容部側に偏らせて設けられ、
前記内障子は、前記縦枠収容部と前記面材保持部との間において、前記室内側凹部が前記面材保持部側に偏らせて、前記室外側凹部が前記縦枠収容部側に偏らせて設けられていることを特徴とする建具。
【請求項２】
請求項１に記載の建具であって、
前記外障子の前記室外側凹部、及び、前記内障子の室内側凹部は、前記面材保持部の一部を共有して当該面材保持部に隣接して設けられていることを特徴とする建具。
【請求項３】
請求項１又は請求項２に記載の建具であって、
前記外障子の前記室内側凹部、及び、前記内障子の前記室外側凹部は、前記縦枠収容部の一部を共有して当該縦枠収容部に隣接して設けられていることを特徴とする建具。
【請求項４】
請求項１乃至請求項３のいずれかに記載の建具であって、
前記枠体は、前記外障子を開いた際に、前記外障子の前記室内側凹部と、前記内障子が有する召合框とが対向しない位置にて、前記外障子の移動を規制する規制部材、及び、
前記内障子を開いた際に、前記内障子の前記室外側凹部と、前記外障子が有する召合框とが対向しない位置にて、前記内障子の移動を規制する規制部材を備えていることを特徴とする建具。
【請求項５】
請求項１乃至請求項４のいずれかに記載の建具であって、
前記室外側凹部の見付け方向の幅と、前記室内側凹部の見付け方向の幅とが、同一であることを特徴とする建具。
【発明の詳細な説明】
【技術分野】
【０００１】
本発明は、枠体に外障子及び内障子が取り付けられた建具に関する。
【背景技術】
【０００２】
枠体に外障子及び内障子が取り付けられた建具としては、上・下枠と両竪枠とで構成される枠体に引違い障子を組み込んだサッシュが知られている。引違い障子を構成する戸先框は、竪枠側に入り込む部位と、ガラス等の面材を保持する部位と、障子の開け閉めの際に指を掛けるために戸先框の表面から見込み方向に窪んだ凹部にて形成された引き手と、を有している（例えば、特許文献１参照）。
【先行技術文献】
【特許文献】
【０００３】
【特許文献１】実公平１−４４７１８号公報
【発明の概要】
【発明が解決しようとする課題】
【０００４】
一般的に建具の障子は、框部分を小さくして面材の領域を広くすることが望まれている。このため、面材の領域を広く確保しつつ引き手を戸先側に配置すると、障子を閉めた際に引き手が竪枠側に入り込んで、竪枠に指が接触する虞がある。また、面材の領域を広く確保しつつ引き手を面材側に配置すると、引き手の見付け方向の幅が狭くなり、指が掛け難いなど操作性が低下する。引き手の幅を広く確保すべく凹部の幅を広げると戸先框の見込み方向の幅が狭い部位が大きくなり、戸先框の強度が低下する虞があるという課題がある。
【０００５】
本発明は、かかる課題に鑑みてなされたものであり、その目的は、障子を開閉し易い建具を提供することにある。
【課題を解決するための手段】
【０００６】
かかる目的を達成するために本発明の建具は、開口を形成する枠体と、見付け方向に移動可能に前記枠体に取り付けられ、前記開口を閉止可能な外障子及び内障子と、を有する建具であって、前記外障子と前記内障子の戸先框は、前記枠体の縦枠に収容される縦枠収容部と、面材を保持する面材保持部と、前記縦枠収容部と前記面材保持部とを見付け方向に繋ぎ、見込み方向において室外側に向く面に引き手をなす室外側凹部及び室内側に向く面に引き手をなす室内側凹部を備えた中空部と、を各々有する同一の部材であり、前記室外側凹部及び前記室内側凹部の見付け方向の幅は、前記中空部の見付け方向の幅の半分より広く形成されており、前記外障子は、前記縦枠収容部と前記面材保持部との間において、前記室外側凹部が前記面材保持部側に偏らせて、前記室内側凹部が前記縦枠収容部側に偏らせて設けられ、前記内障子は、前記縦枠収容部と前記面材保持部との間において、前記室内側凹部が前記面材保持部側に偏らせて、前記室外側凹部が前記縦枠収容部側に偏らせて設けられていることを特徴とする建具である。
【０００７】
このような建具によれば、縦枠収容部と面材保持部とを見付け方向に繋ぐ中空部の、見込み方向において枠体の外側及び中央側に向く面に引き手をなす外側凹部及び中央側凹部が備えられているので、縦枠収容部が縦枠に収容されても外側凹部及び中央側凹部は縦枠側に入り込まない。また、外側凹部は面材保持部側に偏らせて設けられているので、外障子及び内障子を閉めた際には、中空部において外側凹部が縦枠からより離れた位置に配置される。このため、外側凹部に指をかけて内障子及び外障子を閉めたとしても指が縦枠に接触することを防止することが可能である。
【０００８】
そして、外側凹部及び中央側凹部の見付け方向の幅は、中空部の見付け方向の幅の半分より広く形成されているので、指をかける引き手を、中空部の領域をより有効に使用して形成することが可能である。このため、指が掛けやすく内障子及び外障子を開閉し易い引き手を備えることが可能である。
【０００９】
また、外側凹部は面材保持部側に偏らせて設けられ、中央側凹部は縦枠収容部側に偏らせて設けられているので、中空部は面材保持部側及び縦枠収容部側にそれぞれ、見込み方向の幅が広い部位を有している。このため、中空部の強度が高められて面材保持部と縦枠収容部とが高い強度にて繋がれているので、戸先框の高い強度を確保することが可能である。このため、戸先框の強度を確保しつつ、見付け方向の幅をより広く確保した引き手を備え、障子を開閉し易い建具を提供することが可能である。
【００１０】
かかる建具であって、前記外障子の前記室外側凹部、及び、前記内障子の室内側凹部は、前記面材保持部の一部を共有して当該面材保持部に隣接して設けられていることが望ましい。
このような建具によれば、外側凹部は見付け方向において中空部の最も面材保持部側に配置される。このため、障子を閉めた際に指が縦枠に接触しない構成として、中空部の見付け方向において最も有効な位置に引き手を配置することが可能である。更に、中空部において縦枠収納部に隣接する部分が見込み方向に幅広となるため、縦枠収納部が見込み方向に幅広の中空部と隣接して縦枠収納部の強度が向上する。
【００１１】
かかる建具であって、前記外障子の前記室内側凹部、及び、前記内障子の前記室外側凹部は、前記縦枠収容部の一部を共有して当該縦枠収容部に隣接して設けられていることが望ましい。  
このような建具によれば、中央側凹部は見付け方向において中空部の最も縦枠収容部側に配置させることが可能である。このため、外障子と内障子とが対向するように開放した際に、見付け方向において、対向する障子の召合框と中央側凹部とが最も対向しにくい位置に中央側凹部を配置することが可能である。更に、中空部において面材保持部に隣接する部分が見込み方向に幅広となるため、面材保持部が見込み方向に幅広の中空部と隣接して面材保持部の強度が向上する。
【００１２】
かかる建具であって、前記枠体は、前記外障子を開いた際に、前記外障子の前記室内側凹部と、前記内障子が有する召合框とが対向しない位置にて、前記外障子の移動を規制する規制部材、及び、前記内障子を開いた際に、前記内障子の前記室外側凹部と、前記外障子が有する召合框とが対向しない位置にて、前記内障子の移動を規制する規制部材を備えていることが望ましい。  
このような建具によれば、外障子又は内障子を開いた際には、外障子と内障子とが対向するように配置されるが、外障子及び内障子の中央側凹部は、対向する障子の召合框と対向しない位置にて移動が規制されるので、中央側凹部に指をかけて外障子または内障子を開いたとしても、指が召合框に接触することを防止することが可能である。
【００１３】
かかる建具であって、前記室外側凹部の見付け方向の幅と、前記室内側凹部の見付け方向の幅とが、同一であることが望ましい。
このような建具によれば、外側凹部の見付け方向の幅の中心位置と、中央側凹部の見付け方向の幅の中心位置とを、見付け方向においてずらすことができる。したがって、これらの各凹部にハンドル等の機能部品をビス等の固着具で取り付ける際、外側凹部に固着する固着具の見付け方向の幅の中心位置と、中央側凹部に固着する固着具の見付け方向の幅の中心位置とが、見付け方向において重ならないため、固着具同士の干渉を避けることが可能である。また、中空部の外側及び中央側に向く面が同じ形状をなすので同一の機能部品を同様に取り付けることが可能である。
【発明の効果】
【００１４】
本発明によれば、障子を開閉し易い建具を提供することが可能である。
【図面の簡単な説明】
【００１５】
【図１】本実施形態に係る建具を室内側から見た外観図である。
【図２】本実施形態に係る建具の縦断面図ある。
【図３】本実施形態に係る建具の横断面図ある。
【図４】本実施形態に係る建具の外障子を開いた状態を示す横断面図ある。
【発明を実施するための形態】
【００１６】
以下、本発明の一実施形態に係る建具について図面を参照して説明する。
【００１７】
本実施形態の建具１０は、例えば、図１〜図３に示すように、建物等に取り付けられ、開口１２ａ（図４）を形成する枠体１２と、見付け方向に移動可能に枠体１２に取り付けられ、開口１２ａを閉止可能な外障子２０及び内障子３０と、を有している。
【００１８】
以下の説明においては、建物に取り付けられた建具１０を室内側から見たときに、上下となる方向を上下方向、左右となる方向を左右方向または見付け方向、室内外方向である奥行き方向を見込み方向として示す。
【００１９】
枠体１２は、押し出し成形部材である上枠１３、下枠１４、左右に配置される左縦枠１５及び右縦枠１６が矩形状に枠組みされて形成されている。上枠１３及び下枠１４には、外障子２０及び内障子３０を見付け方向に案内するレール１３ａ、１４ａが設けられている。また、下枠１４には、見込み方向の中央より室外側であって、右縦枠１６側に位置させて外障子２０の開放側の移動を規制する外障子規制部材１４ｂが取り付けられており、見込み方向の中央より室内側であって、左縦枠１５側に位置させて内障子３０の開放側の移動を規制する内障子規制部材１４ｃが取り付けられている。
【００２０】
左縦枠１５及び右縦枠１６は、見込み方向に沿う壁部１５ａ、１６ａと、壁部１５ａ、１６ａの室外側の縁部から見付け方向において開口１２ａの中央側に突出している室外側ヒレ部１５ｂ、１６ｂと、壁部１５ａ、１６ａの室内側の縁部から見付け方向において開口１２ａの中央側に突出している室内側ヒレ部１５ｃ、１６ｃと、を有している。また、左縦枠１５には、見込み方向のほぼ中央から見付け方向において開口１２ａの中央側に突出し止水部材４４が取り付けられる止水部材取付部１５ｄと、見込み方向において止水部材取付部１５ｄと室外側ヒレ部１５ｃとのほぼ中央から見付け方向において開口１２ａの中央側に突出する外側突出壁部１５ｅとを有している。
【００２１】
右縦枠１６には、見込み方向において中央より室内側に、見付け方向において開口１２ａの中央側に突出する内側突出壁部１６ｄを有し、室内側ヒレ部１６ｃの室外側に止水部材４４が取り付けられる止水部材取付部１６ｅが設けられている。
【００２２】
外障子２０及び内障子３０は、押し出し成形部材である上框２２、３２、下框２３、３３、召合框２４、３４、戸先框２５、３５と、面材としての複層ガラス４０と、を有しており、複層ガラス４０の周縁部を収容するように上框２２、３２、下框２３、３３、召合框２４、３４、戸先框２５、３５が矩形状に枠組みされている。
【００２３】
外障子２０の戸先框２５と内障子３０の戸先框３５とは同一部材なので、以下の説明では、内障子３０の戸先框３５を例に挙げて説明する。ところで、戸先框３５は、内障子３０の室外側と外障子２０の室内側が同一となり、内障子３０の室内側と外障子２０の室外側が同一となる。このため、内障子３０の戸先框３５の説明であっても、内障子３０の戸先框３５と外障子２０の戸先框２５とに共通の側として示すため、内障子３０の戸先框３５において、室外側を示す場合には見込み方向における枠体１２の中央側とし、室内側を示す場合には見込み方向における枠体１２の外側として説明する。
【００２４】
内障子３０の戸先框３５は、複層ガラス４０の縁部を収容して保持する面材保持部としてのガラス保持部３６と、枠体１２の右縦枠１６に戸先側の部位が収容される縦枠収容部３７と、ガラス保持部３６と縦枠収容部３７とを見付け方向に繋ぎ、見込み方向において枠体１２の中央側及び外側に向く面５０ａ、５０ｂに引き手をなす中央側凹部５１及び外側凹部５４を備えた中空部５０とを有している。
【００２５】
ガラス保持部３６は、見込み方向において枠体１２の中央側から複層ガラス４０の縁部を支持する中央側支持部３６ａと、見込み方向において枠体１２の外側から複層ガラス４０の縁部を支持する外側支持部３６ｂと、中央側支持部３６ａと外側支持部３６ｂとを、戸先側にて見込み方向に連結する支持連結部３６ｃとを有している。複層ガラス４０は、中央側支持部３６ａ及び外側支持部３６ｂとの間にシール材４１を介して支持されている。
【００２６】
縦枠収容部３７は、見込み方向に間隔を隔てて設けられ、見込み方向において枠体１２の中央側に位置する中央壁部３７ａと、見込み方向において枠体１２の外側に位置する外側壁部３７ｂと、中央壁部３７ａと外側壁部３７ｂとを召合框３４側にて連結する戸先連結部３７ｃとを有している。すなわち、縦枠収容部３７は、右縦枠１６の壁部１６ａ側に開放され、水平断面がほぼＵ字状をなしている。縦枠収容部３７内には、内障子３０を閉じた際に、内障子３０の戸先框３５を、右縦枠１６の室内側ヒレ部１６ｃの室外側に設けられた止水部材４４に当接させるべく室内側に引き寄せる引寄部材４３が設けられている。このため、中央壁部３７ａと外側壁部３７ｂとの対向面の先端側には、縦枠収容部３７内に収容される引寄部材４３が係止される係止部３７ｄが設けられている。
【００２７】
ガラス保持部３６の見込み方向の幅は、縦枠収容部３７の見込み方向の幅より広く形成されており、ガラス保持部３６の中央側支持部３６ａと縦枠収容部３７の中央壁部３７ａとがほぼ同一平面をなすように配置されて、ガラス保持部３６と縦枠収容部３７とが中空部５０にて連結されている。
【００２８】
中空部５０は、ガラス保持部３６の支持連結部３６ｃと縦枠収容部３７の戸先連結部３７ｃとを共有しつつ、見込み方向において枠体１２の中央側にてガラス保持部３６と縦枠収容部３７とを繋ぐ中央側中継壁部５２と、見込み方向において枠体１２の外側にてガラス保持部３６と縦枠収容部３７とを繋ぐ外側中継壁部５５とで形成されている。すなわち、中空部５０は、ガラス保持部３６の支持連結部３６ｃの一部と縦枠収容部３７の戸先連結部３７ｃの一部と、中央側中継壁部５２と、外側中継壁部５５とが繋がって中空に形成されている。
【００２９】
中央側中継壁部５２は、ガラス保持部３６が有する中央側支持部３６ａの見込み方向における枠体１２の中央側の面と同一平面をなし、縦枠収容部３７側には見込み方向において外側に窪む中央側凹部５１を有している。中央側凹部５１の見付け方向の幅は、中央側中継壁部５２の見付け方向の幅における半分より広く形成されており、戸先側は縦枠収容部３７の戸先連結部３７ｃにて形成されている。すなわち、中央側凹部５１は、戸先連結部３７ｃの一部を共有して縦枠収容部３７に隣接して設けられている。このため、中央側中継壁部５２のガラス保持部３６と同一の面をなす部位は、ガラス保持部３６側のみに偏らせて設けられている。
【００３０】
外側中継壁部５５は、縦枠収容部３７が有する外側壁部３７ｂの見込み方向における枠体１２の外側の面と同一平面をなし、ガラス保持部３６側には見込み方向において中央側に窪む外側凹部５４を有している。外側凹部５４の見付け方向の幅は、外側中継壁部５５の見付け方向の幅における半分より広く形成されており、召合側はガラス保持部３６の支持連結部３６ｃにて形成されている。すなわち、外側凹部５４は、支持連結部３６ｃの一部を共有してガラス保持部３６に隣接して設けられている。このため、外側中継壁部５５の縦枠収容部３７と同一の面をなす部位は、縦枠収容部３７側のみに偏らせて設けられている。外側凹部５４の見付け方向の幅と、中央側凹部５１の見付け方向の幅は、同一である。
【００３１】
また、中央側凹部５１と外側凹部５４とは、外障子２０及び内障子３０を開閉する際の引き手となるため、指が掛かりやすいようにほぼ矩形状に形成され、窪みの深さは例えば５ｍｍ程度に形成されている。
【００３２】
本実施形態の建具１０は、外障子２０を閉じると、外障子２０の戸先框２５の戸先側が、室外側ヒレ部１５ｂと室内側ヒレ部１５ｃとの間に収容され、内障子３０を閉じると、内障子３０の戸先框３５の戸先側が、室外側ヒレ部１６ｂと室内側ヒレ部１６ｃとの間に収容される。このとき、外障子２０の戸先框２５内に設けられた引寄部材４３と外側突出壁部１５ｅとが接触することにより、外障子２０の戸先框２５側が室内側に引き寄せられると共に、戸先框２５に、左縦枠１５の止水部材取付部１５ｄに取り付けられた止水部材４４が押圧されて止水される。また、内障子３０を閉じると、内障子３０の戸先框３５内に設けられた引寄部材４３と内側突出壁部１６ｄとが接触することにより、内障子３０の戸先框３５側が室内側に引き寄せられると共に、戸先框３５に、右縦枠１６の止水部材取付部１６ｅに取り付けられた止水部材４４が押圧されて止水される。
【００３３】
そして、外障子２０及び内障子３０を閉じた状態で、外障子２０の戸先框２５に設けられた外側凹部５４は、室外側ヒレ部１５ｂより見付け方向において枠体１２の中央側に位置しており、室外側ヒレ部１５ｂに覆われてはいない。また、内障子３０の戸先框３５に設けられた外側凹部５４は、室内側ヒレ部１６ｃより見付け方向において枠体１２の中央側に位置しており、室内側ヒレ部１６ｃに覆われてはいない。すなわち、外障子２０の外側凹部５４と室外側ヒレ部１５ｂとが、また、内障子３０の外側凹部５４と室内側ヒレ部１６ｃとが対向しないように構成されている。
【００３４】
また、外障子２０のみを開いて外障子２０が外障子規制部材１４ｂに当接された状態（図４）、及び、内障子のみを開いて内障子３０が内障子規制部材１４ｃに当接された状態では、外障子２０の戸先框２５に設けられた中央側凹部５１は、内障子３０の召合框３４により覆われない位置に配置され、内障子３０の戸先框３５に設けられた中央側凹部５１は、外障子２０の召合框２４により覆われない位置に配置される。すなわち、外障子２０のみを開いた状態、及び、内障子３０のみを開いた状態で、外障子２０の中央側凹部５１が内障子３０の召合框３４と、内障子３０の中央側凹部５１と外障子２０の召合框２４とが対向しないように構成されている。
【００３５】
本実施形態の建具１０によれば、ガラス保持部３６と縦枠収容部３７とを見付け方向に繋ぐ中空部５０に、見込み方向において枠体１２の外側及び中央側に向く面５０ａ、５０ｂに引き手をなす外側凹部５４及び中央側凹部５１が備えられているので、縦枠収容部３７が左右の縦枠１５、１６に収容されても外側凹部５４及び中央側凹部５１は縦枠１５、１６側に入り込まない。また、外側凹部５４はガラス保持部３６側に偏らせて設けられているので、外障子２０及び内障子３０を閉めた際には、中空部５０において外側凹部５４が縦枠１５、１６からより離れた位置に配置される。このため、外側凹部５４に指をかけて外障子２０及び内障子３０閉めたとしても指が縦枠１５、１６に接触することを防止することが可能である。
【００３６】
そして、外側凹部５４及び中央側凹部５１の見付け方向の幅は、中空部５０の見付け方向の幅の半分より広く形成されているので、指をかける引き手を、中空部５０の領域をより有効に使用して形成することが可能である。このため、指が掛けやすく外障子２０及び内障子３０を開閉し易い引き手を備えることが可能である。
【００３７】
また、外側凹部５４はガラス保持部３６側に偏らせて設けられ、中央側凹部５１は縦枠収容部３７側に偏らせて設けられているので、中空部５０はガラス保持部３６側及び縦枠収容部３７側にそれぞれ、見込み方向の幅が広い部位を有している。このため、中空部５０の強度が高められてガラス保持部３６と縦枠収容部３７とが高い強度にて繋がれるので、戸先框２５，２５の高い強度を確保することが可能である。このため、戸先框２５、３５の強度を確保しつつ、見付け方向の幅をより広く確保した引き手を備え、外障子２０及び内障子３０を開閉し易い建具１０を提供することが可能である。
【００３８】
更に、外障子２０の戸先框２５と内障子３０の戸先框３５とは、同一部材なのでコストを低減することが可能である。
【００３９】
また、外側凹部５４は、ガラス保持部３６の一部を共有してガラス保持部３６に隣接して設けられているので、外側凹部５４は中空部５０の見付け方向において最もガラス保持部３６側に配置される。このため、外障子２０及び内障子３０を閉めた際に指が左右の縦枠１５、１６に接触しない構成として、中空部５０の見付け方向において最も有効な位置に引き手を配置することが可能である。更に、中空部５０において縦枠収容部３７に隣接する部分が見込み方向に幅広となるため、縦枠収容部３７が幅広の中空部５０と隣接して縦枠収容部３７の強度が向上する。
【００４０】
また、中央側凹部５１は、縦枠収容部３７の一部を共有して当該縦枠収容部３７に隣接して設けられているので、中央側凹部５１は中空部５０の見付け方向において最も縦枠収容部３７側に配置させることが可能である。更に、中空部５０においてガラス保持部３６に隣接する部分が見込み方向に幅広となるため、ガラス保持部３６が幅広の中空部５０と隣接してガラス保持部３６の強度が向上する。
【００４１】
また、枠体１２は、外障子２０又は内障子３０のいずれか一方を開いた際に、一方の障子（開いた障子）に設けられた中央側凹部５１と、他方の障子（閉じている障子）が有する召合框とが対向しない位置にて、一方の障子の移動を規制する規制部材を備えているので、外障子２０のみを開いた際、又は、内障子３０のみを開いた際に、中空部５０の見付け方向において、対向する障子２０、３０の召合框２４、３４と中央側凹部５１とが最も対向しにくい位置に中央側凹部５１を配置することが可能である。
【００４２】
また、外側凹部５４の見付け方向の幅と、中央側凹部５１の見付け方向の幅とが、同一であるため、外側凹部５４の見付け方向の幅の中心位置と、中央側凹部５１の見付け方向の幅の中心位置とを、見付け方向においてずらすことができる。したがって、これらの各凹部にハンドル等の機能部品をビス等の固着具で取り付ける際、外側凹部５４に固着する固着具の見付け方向の幅の中心位置と、中央側凹部５１に固着する固着具の見付け方向の幅の中心位置とが、見付け方向において重ならないため、固着具同士の干渉を避けることが可能である。また、中空部５０の外側及び中央側に向く面が同じ形状をなすので同一の機能部品を同様に取り付けることが可能である。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１０  建具、１２  枠体、１２ａ  開口、１４ｂ  外障子規制部材、
１４ｃ  内障子規制部材、１５  左縦枠、１６  右縦枠、２０  外障子、
２４  召合框、２５  戸先框、３０  内障子、３４  召合框、３５  戸先框、
３６  ガラス保持部、３７  縦枠収容部、４０  複層ガラス、５０  中空部、
５０ａ  枠体の外側に向く面、５０ｂ  枠体の中央側に向く面、５１  中央側凹部、
５４  外側凹部
【図１】
0005461237.tif 000002
【図２】
0005461237.tif 000003
【図３】
0005461237.tif 000004
【図４】
0005461237.tif 000005